(57)【要約】  本発明は、危険物、特に少なくとも１つの電気化学的エネルギー貯蔵装置のための輸送装置であって、少なくとも１つの収容室を備える、当該危険物を収容するための少なくとも１つの収容装置と、収容室を少なくとも部分的に、少なくとも１つの方向で遮る少なくとも１つの遮断機器と、を有する輸送装置に関し、当該遮断機器は、少なくとも１つの第１材料と少なくとも１つの第２材料とを備える。本発明はさらに、当該輸送装置の製造と使用法とに関する。
2014509286.tif 000002
【特許請求の範囲】
【請求項１】
危険物（１５０；２０１）、特に少なくとも１つの電気化学的エネルギー貯蔵装置のための輸送装置（１００；１０２；１０４；１０５）であって、
少なくとも１つの収容室（２０３）を備える、前記危険物を収容するための少なくとも１つの収容装置（２０２）と、
前記収容室を少なくとも部分的に、少なくとも１つの方向で遮る少なくとも１つの遮断機器（２０４；２０５）と、
を有する輸送装置において、
前記遮断機器は、少なくとも１つの第１材料と、少なくとも１つの第２材料と、を備える輸送装置。
【請求項２】
前記遮断機器は、前記第１材料から成る第１の層（２１１）と、前記第２材料から成る第２の層（２１２）と、を備えることを特徴とする請求項１に記載の輸送装置。
【請求項３】
前記第２材料は、繊維構造要素、特にガラス繊維を備えることを特徴とする請求項１または２に記載の輸送装置。
【請求項４】
前記第１材料および／または前記第２材料は、繊維複合材料を備えるか、または繊維複合材料を形成することを特徴とする請求項１から３のいずれか１項に記載の輸送装置。
【請求項５】
前記第２材料は、アラミド繊維を備えることを特徴とする請求項１から４のいずれか１項に記載の輸送装置。
【請求項６】
前記第１材料は金属材料であり、前記第２材料は繊維複合材料であることを特徴とする請求項１から５のいずれか１項に記載の輸送装置。
【請求項７】
前記遮断機器は、前記収容装置の壁あるいは壁セクションとして形成されており、ヨーロッパ規格ＥＮ１５２２に応じた抵抗力階級に従う防弾性を有することを特徴とする請求項１から６のいずれか１項に記載の輸送装置。
【請求項８】
前記輸送装置は、安全機器、特に消火機器を備えることを特徴とする請求項１から７のいずれか１項に記載の輸送装置。
【請求項９】
新品、中古あるいは故障中の電気化学的エネルギー貯蔵装置を、特に空輸で、特に回収するために輸送するための、請求項１から８のいずれか１項に記載の輸送装置の使用法。
【請求項１０】
前記電気化学的エネルギー貯蔵装置はリチウムイオンセルである、請求項９に記載の使用法。
【発明の詳細な説明】
【技術分野】
【０００１】
優先権主張の基礎となる先の出願ＤＥ１０２０１１００９６９６．５の全内容は、参照によって、本願に組み込まれている。
【背景技術】
【０００２】
本願発明は、特に、電気化学的エネルギー貯蔵装置、特にリチウムイオンセルあるいはリチウムイオンバッテリーを輸送し、回収し、保管し、かつ収容するための輸送装置に関し、さらにその製造法と使用法とに関する。
【０００３】
特にリチウムイオンバッテリー及びリチウムイオンセルの場合には、次のような具体的な危険性が知られている。すなわち、電解液の流出、ショート、火災もしくは爆発である。これらのリスクを軽減させるために、そのようなセルやバッテリーは、駆動安全性を高める、適合するハウジングを備えることが多い。それは、たとえば特許文献１に記載されている。
【０００４】
それゆえ、電気化学的エネルギー貯蔵装置の保管及び輸送の際には、通常の保管条件あるいは運搬条件の下で内容物が環境に放出されるリスクを軽減させるか、あるいは取り除く、特に内容物が環境に放出されることを防ぐ処置が取られるべきである。さらに、電気化学的エネルギー貯蔵機器の保管及び輸送の際には、「内部」からの、すなわち電気化学的エネルギー貯蔵機器自体の危険性だけが脅威ではない。むしろ「外部」からの危険性も考慮されなくてはならない。たとえば交通事故で火災になったら、積載されたリチウムイオンバッテリーが火災に対して保護され、できる限り損傷を受けないように配慮されなくてはならない。たとえば紙箱のような簡易包装はこの目的には役に立たない。むしろ、貨物によって環境を危険にさらすのを回避するために、電気化学的エネルギー貯蔵装置の収容、特に包装及び輸送の際の安全性を与える収容装置が必要である。逆の順序でも、同じことが当てはまる。
【０００５】
とりわけ、電気駆動の自動車のエネルギー源として用いられ得る電気化学的エネルギー貯蔵装置に対する新たな要求（できる限り軽量もしくは小型かつできる限り高性能）によって、その輸送は、特に要素が損傷あるいは故障している場合には、高いリスクをはらむことになる。それによって、たとえば交通事故（「外部」からの危険性）あるいはバッテリーのショート（「内部」からの危険性）によって引き起こされる、たとえば火災において、爆発にまで至る非常に激しい分解反応が起こりかねず、たとえば塩素あるいは二酸化硫黄のような有毒で環境に危険なガスが発生しかねない。特にリチウムイオンバッテリーにおいては、貯蔵された電気エネルギーのおよそ１０倍の熱エネルギーがある。その上、高温では、リチウム金属酸化物として存在することが多いカソード材料の分解に至りかねない。分解の結果として、燃焼促進剤として働き得る酸素の放出に至りかねない。しかしリチウム金属から成るアノードにも、大きな火災の危険性がある。
【０００６】
それゆえ、そのような電気化学的エネルギー貯蔵ユニットの輸送には一般的に、厳しい規則が課せられており、それらの規則は、とりわけ、ヨーロッパの大部分で当てはまる以下のガイドラインにまとめられている。
ＡＤＲ：危険物の国際的な道路運搬に関するヨーロッパ協定
ＲＩＤ：国際的な鉄道交通に関するヨーロッパ協定
ＩＭＤＧ−Ｃｏｄｅ：海上運輸における危険物のための貨物証明
ＡＤＮ：危険物の内陸水路での運搬に関するヨーロッパ協定
ＩＣＡＯ−ＴＩ及びＩＡＴＡ  ＤＧＲ：空輸における貨物輸送のための基本ルール
【０００７】
これらガイドラインは、たとえば輸送されるべき貨物の最大許容量と、許可された包装の種類及び包装材料と、たとえば、積み荷が滑ってずれることから守ることあるいは消火器の準備のような安全策と、を規定している。
【０００８】
それでもなお、このガイドラインにおいては、電気化学的エネルギー貯蔵装置のための拘束力のある収容装置の、技術的に細部まで検討されたとりわけ統一的な記述が欠けている。
【０００９】
したがって、たとえば使用済みのリチウムイオンセルには、いわゆる１Ｈ２容器に入れて輸送して構わないという（ＡＤＲの）規則が当てはまる。１Ｈ２の記述はこの場合、コンテナの種類、材料、及びカテゴリ化のためにある。
１：コンテナのタイプ（たとえばバッグ、箱）
Ｈ：コンテナの材料（たとえば木材、鋼）
２：カテゴリ化（たとえば開放型あるいは閉鎖型）
【００１０】
２００９年１月１日以降、発送規則のための数多くの新たな規定がリチウムイオンバッテリーに適用されている。これによって、たとえば、リチウムイオンバッテリー又はリチウムイオンセルと、リチウム金属バッテリー又はリチウム金属セルと、の間で相違がなくてはならない。さらに、そのような電気化学的エネルギー貯蔵ユニットの発送もしくは輸送の際に、これらは器具もしくは装備品とともに発送されるかどうかが重要である。その上、電気化学的エネルギー貯蔵ユニット、特にリチウム金属バッテリーとリチウムイオンバッテリーとは、発送前に特定の検査（ＵＮ規則３０９０、３０９１、３４８０、３４８１に定められている）を受けなくてはならない。これらの検査と規準とは、ＵＮ審査ハンドブック、第３部、第３８．３節に要約されている。
【００１１】
しかしながら、これらの厳しい規則にもかかわらず、この出願の出願日の直前に、とりわけ航空貨物運輸において、再三再四事故が起こっている。それゆえＦＡＡ（連邦航空局）は、電気化学的エネルギー貯蔵装置、特にリチウムイオンバッテリーの輸送に警告を出すことが必要であると気付いた。なぜなら、これまで、とりわけ火災時の適切かつ安全な輸送包装がないからである。そのような輸送包装に対する要求は多様であり、かつ危険物の種類と起こり得る危険なシナリオとに応じて変化し得る。
【先行技術文献】
【特許文献】
【００１２】
【特許文献１】欧州特許出願公開第２１８０５３７号明細書
【発明の概要】
【発明が解決しようとする課題】
【００１３】
それゆえ本発明の課題は、特に電気化学的エネルギー貯蔵装置の輸送と保管とのための安全な輸送装置であって、特に複雑な危険状況に対応し、同時にできる限りコンパクトな輸送装置を提供することである。
【課題を解決するための手段】
【００１４】
これは、本発明によれば、独立請求項の教示によって達成される。本発明の好ましいさらなる形態は、従属請求項の対象である。
【００１５】
この課題を解決するために、以下に詳細に記述されるように、危険物、特に少なくとも１つの電気化学的エネルギー貯蔵装置のための輸送装置であって、当該危険物を収容するための少なくとも１つの収容装置を有する輸送装置が意図されている。収容機器は、少なくとも１つの収容室を備える。加えて、収容装置は１つの遮断機器を備え、当該遮断機器は、好適には収容室を少なくとも部分的に、少なくとも１つの方向で遮り、かつ少なくとも１つの第１材料と少なくとも１つの第２材料とを備える。
【００１６】
本発明に係る輸送装置の利点は、第１材料と第２材料とを有する遮断機器が、収容装置の内室と周囲との間に、複雑な危険状況に対応する安全な遮断を形成することにある。特に、輸送装置が付加的に、アクティブに作用する安全機器たとえば消火機器を備えている場合、遮断機器によって安全性の度合いが高まる。なぜなら、安全機器が効果を発揮するまで、危険状況は当面、効果的に抑制され得るからである。爆発、火災あるいは腐食は、たとえば複雑な危険状況において、組み合わさって起こり得る。複雑な危険状況においては、複数の危険性にできる限り同時に対処しなくてはならない。このように、爆発の際には、圧力波による危険だけでなく、さらに加えて辺りに飛び散る射出物による危険も存在する。しばしば、爆発には火事が伴う。したがって、輸送包装は、爆発の際に圧力波に耐えるだけでなく、できる限り射出物も防ぎ、耐火性がなくてはならない。好適には輸送包装は、輸送コストを最小限に抑えるために軽くもあるべきである。これらすべてのために、安全な輸送包装の材料を組み合わせる際には、本願発明の対象であるような新たなコンセプトが必要である。
【００１７】
遮断機器は、好適には収容室を、少なくとも部分的にあるいは完全に、少なくとも１つの方向、複数の方向、特にすべての水平および／あるいはすべての垂直方向に遮る。遮るとは、特に収容室を輸送装置の周囲に対して、あるいは収容装置の周囲に対して、あるいは遮断機器の周囲に対して遮ること、あるいは収容室の少なくとも２つの領域を遮ることあるいは分離することに関連する。方向の記載は、重力方向に（つまり下に向かって垂直に）設置可能な下側（あるいは下縁辺部）好適には基礎プレートと、下側に向かい合う上側（あるいは上縁辺部）とを備える輸送装置に関連する。
【００１８】
遮断機器は、他の遮断機器と組み合わせて、輸送装置あるいは収容装置の構成部材であってよく、あるいは輸送装置あるいは収容装置を本質的に形成してよい。遮断機器は、収容装置の内部にあってよい。遮断機器は、収容装置の外側に接して存在してよい。遮断機器は、第１の収容装置と少なくとも１つの第２の収容装置との間にあってよい。しかし、遮断機器の１つあるいは複数の部分が、収容装置の外側に接している、および／あるいは１つあるいは複数の部分が、収容装置の内部に設けられ得ることも考えられ得る。遮断機器は、収容装置および／あるいは周囲と、作用関係にあってよい。しかし、遮断機器が、収容装置および／あるいは周囲と、まったく作用関係にないことも考えられ得る。
【００１９】
遮断機器は、好適には少なくとも１つの、正確には１つの、正確には２つの、正確には３つのあるいは正確には４つの、輸送装置もしくは収容装置の壁を形成し、この壁は、側壁、底壁、頂壁および／あるいは蓋壁を形成してよく、あるいはそれらであってよい。さらにこの壁（あるいは複数の壁）は、収容装置の収容室内部に設けられていてよく、そこにおいて、当該壁は、好適には内部被覆たとえば内壁被覆、底壁被覆、頂壁被覆あるいは蓋壁被覆を形成する。好適には、収容室の複数のコンパートメントを定義するために、あるいはたとえば分離壁として使うために、１つの壁が設けられている。この分離壁は、輸送装置の基礎プレートに対して平行にも、垂直にも設けられていてよく、たとえばマルチチャンバシステムを形成してよく、各チャンバは、たとえば危険物、たとえば電気化学的エネルギー貯蔵セルを収容および／あるいは支持してよい。遮断機器は、収容室の挿入要素として設けられていてよく、固定式にあるいは分離可能に収容装置に接合されていてよい。この壁は本質的に、多角形のあるいはその他の中空体の、特に収容装置の本体の完全な壁を形成してよい。壁は、中空体の壁セクションも形成してよく、壁セクションは、（壁面に対して垂直に切り取られた）壁セグメントあるいは壁層を表わしていてよい。
【００２０】
しかし遮断機器は、輸送装置あるいは収容装置の別の構成部材、たとえばフレーム、支柱、縁部セクションを形成してもよい。収容装置と収容機器という用語は、本願発明の記述においては、好適には同義に用いられる。
【００２１】
遮断機器は、好適には互いに異なる、少なくとも１つの第１材料と少なくとも１つの第２材料とを備えることを特徴とする。第１材料は、１つの（たとえば第１の）層を形成してよく、および／あるいは第２材料は、１つの（たとえば第２の）層を形成してよい。１つの層は、複数の部分層を備えてよい。両層は直接接触してよく、あるいは直接的または間接的に互いに接合あるいは結合されていてよく、あるいは接触していなくてもよく、あるいは直接的または間接的に接合あるいは結合されていなくてもよい。たとえば、考えられ得、かつ好ましいのは、熱を反射する第１のたとえば内側の材料層および／あるいは熱を反射する第２のたとえば外側の材料層を備えることであり、これらの層の間に、第３の材料層が設けられていてよく、当該第３の材料層は、たとえば衝撃に対して強く形成されていてよく、内側の材料層および／あるいは外側の材料層から間隔をあけて、たとえば１ｍｍから５０ｍｍの間隔で設けられていてよい。第１材料層と第３材料層との間もしくは第２材料層と第３材料層との間の間隔によって、層間の直接的な拡散性熱相互作用を防ぐことができ、それによって、特に第３の層は、少なくとも短時間、過熱から保護され得る。
【００２２】
好ましい一実施形態においては、遮断機器は、第１材料から成る第１の層と、第２材料から成る第２の層とを備える。様々な材料のこの連続的な順序によって、これらの材料の物理的特性を、両方の特性あるいは新たな特性を有する複合層において有利に利用できる。好ましい一実施形態においては、遮断機器は、第１材料と第２材料とから成る第１の層を備え、さらに第１材料および／あるいは第２材料から成る第２の層を備えてよい。様々な材料のこの連続的な順序によっても、これらの材料の物理的特性を、両方の特性あるいは新たな特性を有する複合層において有利に利用できる。
【００２３】
好適には、第１材料と第２材料の各々は、収容装置の収容室と、対応する材料の周囲あるいは遮断機器の周囲との間の、危険をもたらす特定の交互作用に対する特別に効果的な遮断として使われるように形成されている。第１材料あるいは第２材料あるいは両材料は、それぞれ好適には、流体漏れなしに、特に液漏れなしにおよび／あるいはガス漏れなしであるとともに、耐熱性を有し、熱を反射し、熱を吸収し、断熱し、耐圧性を有し、（爆発に耐久性を有して）衝撃に強く、耐刃性を有し、耐食性を有するように形成されている。
【００２４】
好適には遮断機器は、第１材料および／あるいは第２材料を備えるか、あるいはそれから構成されるシステムを備える。好ましい一実施形態においては、層システムは第１の層を備え、当該第１の層は、好適には層システムの外層であり、好適には層システムの、収容装置の収容室に対向する層である。好適には、層システムは第２の層を備え、当該第２の層は、好適には層システムの内層である。この第２の層は、１つの層から構成されていてよく、あるいは複数の層から構成されていてよい。好適には、層システムは第３の層を備え、当該第３の層は、好適には層システムのさらなる外層であり、好適には層システムの、収容装置の収容室に背向する層であり、つまり特に輸送装置の周囲に対向している。
【００２５】
輸送装置の好ましい一実施形態においては、遮断機器の層システムの第１の層および／あるいは第３の層は、金属あるいは金属合金を備え、あるいは金属あるいは金属合金から構成されており、たとえば鋼あるいは好適にはアルミニウム特に金属フィルムである。そのような層は、特に熱反射のために、つまり周囲あるいは収容室の保護あるいは第２の層の保護に利用できる。第２の層は、好ましい一実施形態においては、好適には繊維複合材料を備える。そのような層システムは、充分に耐熱性があり、機械的に堅固で、射出物や爆発に対して強い効果を持つことができ、特に軽く形成され得るので、結果的にできる輸送装置は安全であるがそれ自身の質量は比較的小さい。好適には第２の層は、繊維複合材料から成る第１の部分層と、第１の部分層とは別の材料、好適には金属材料、好適には鋼（たとえば鋼板）から成る第２の部分層と、を備える。好適には、第１の部分層と第２の部分層とは、接着されている。繊維複合材料の高い引張強度は、第２の部分層、たとえば鋼に、たとえば高い耐爆性を与えることができ、その結果、両部分層は互いに補い合うか、あるいは互いに保護し合って、それらの組み合わされた効果を維持する。
【００２６】
第１材料および／あるいは第２材料は、別個の層を形成しないことが、同様に可能であり、かつ好適には意図されている。好適には、第１材料と第２材料とは混合物を形成し、第１材料は、さらなる材料、特に第２材料を取り囲むか、あるいは担持するマトリックス材料として使われ得、第２材料は、第１材料もしくはそこの機器を強化する添加材料としてたとえば繊維状に形成されていてよい。そこの機器は、少なくとも第１材料と第２材料とを含むかあるいはこれら材料から構成される複合材料を備えてよい。
【００２７】
好適には、遮断機器、特に第１材料および／あるいは第２材料は、密度が１．０ｇ／ｃｍ３〜１０．０ｇ／ｃｍ３である。好適には、遮断機器あるいはその構成部材を軽量に構成するために、この密度は１．０ｇ／ｃｍ３〜３．０ｇ／ｃｍ３である。これは、特にアルミニウム材料と、繊維複合材料、特に繊維複合プラスチックを有する材料の場合に当てはまる。このやり方で輸送装置を軽量にでき、それによって輸送コストが削減される。その際、好ましくは遮断機器、特に第１材料あるいは第２材料は、部分的にあるいは完全に、密度が７．０ｇ／ｃｍ３〜９．０ｇ／ｃｍ３のセクションから構成されるが、これは例えば鋼、鉄あるいはその他の金属の場合に当てはまる。そのようなセクションは、しばしば高い堅固性、特に高い耐熱性、高い降伏点および／あるいは高い絶縁耐力を備える。
【００２８】
好適には、遮断機器および／あるいは第１材料および／あるいは第２材料あるいは繊維複合材料は、繊維構造要素たとえばガラス繊維、炭素繊維あるいはアラミド繊維を備えるか、あるいはそのような繊維構造要素から構成される。これらは、有利には強化要素として使われてよい。好適には、遮断機器が、マトリックス材料がその第１材料でありかつ繊維材料がその第２材料である、少なくとも１つの繊維複合材料を備えることが意図されている。さらに好適には、繊維複合材料は、繊維材料を備える少なくとも１つの層、好適には少なくとも２つ、３つ、４つ、５つあるいはそれ以上の層を備えることが意図されている。繊維材料から成るこれらの層は、ペアになって接触してよく、あるいはペアになって互いから間隔をあけられていてよく、たとえば第３の層あるいはガスを含有する層によって互いから間隔をあけられていてよい。繊維材料は、同一に構成されていてよく、あるいは異なって構成されていてよい。繊維構造要素は、コーティングされていてよく、あるいはコーティングされていなくてよい。特に、繊維材料を有する複数の層を備えるマルチ層構造体によってマルチ機能構成が可能となり、当該マルチ機能構成の物理的特性は層に応じて変化し、その結果、たとえばマルチ層構造体の外層は特に耐熱性を有することができ、他方で内層はたとえば特に射出物に対して強い効果を持つことができる。
【００２９】
好適には、繊維構造要素は、少なくとも遮断機器の１つの層の内部に、ほぼ単方向に設けられており、その結果、この層は、この方向に特に高い引張強度と圧力強度とを手に入れる。可能でもありかつ好ましいのは、繊維構造要素が、少なくとも遮断機器の１つの層の内部に、ほぼ多方向に特に織物として設けられていることであり、その結果層の多方向の引張強度と圧力強度と、ひいては射出物に対するより強い効果とが達成される。
【００３０】
好適には繊維構造要素は、ガラス繊維を備えるか、あるいは本質的にガラス繊維から構成される。それによって、層もしくは遮断機器は、より高い引張強度と圧力強度とを手に入れる。好適には、繊維構造要素は、炭素繊維を備えるか、あるいは本質的に炭素繊維から構成される。それによっても、層もしくは遮断機器は、より高い引張強度と圧力強度とを手に入れるが、ガラス繊維に比べてより軽量であり、熱や電気を非常によく伝導し、それによって遮断機器の帯電に対抗して利用され得る。好適には繊維構造要素は、アラミド繊維（たとえばポリパラフェニレンテレフタルアミド繊維）を備えるか、あるいは本質的にアラミド繊維から構成される。それによって、層もしくは遮断機器は、より高い引張強度と圧力強度と、高い耐衝撃性と、高い破断伸びと、良好な振動減衰性と、耐酸性と耐アルカリ性とを手に入れる。さらにアラミド繊維は、４００℃までの高い耐熱性をもたらす。それゆえアラミド繊維は、特に射出物に対して強く、耐熱性を有する層として適している。
【００３１】
好適には第１材料は、プラスチック特に部分結晶の、あるいは非結晶のプラスチック、たとえばポリアミド、ポリフタルアミド、ポリエステル、ポリプロピレン、ポリウレタン、ポリオレフィン、高密度ポリエチレンあるいはこれらの変性体である。好適には第１材料と第２材料とは、繊維複合プラスチックを形成する。繊維複合プラスチックにおける繊維要素の割合は、繊維複合プラスチックの容積あるいは質量に対して、それぞれ好適には、２５〜３５％、３５〜４５％、４５〜５５％、５５〜６５％、６５〜７５％であり、あるいは別の割合である。繊維複合プラスチックは、通常高い特別な剛性と強度とを有する。それゆえ繊維複合プラスチックは、軽量構成としての輸送装置の好ましい形態に特に適している。繊維複合プラスチックの機械的かつ熱的特性は、多くのパラメータ、特に繊維の容積の割合と、繊維の角度と、層の順番によって影響され得、その結果そこの機器もしくは輸送装置の特性は、要求に応じてフレキシブルに確定され得る。好適には、第１材料は熱可塑性プラスチックである。この方法で、繊維複合プラスチックは、容易に成形可能である。第１材料が熱硬化性プラスチックであることも好ましい。そのような繊維複合プラスチックは、高い耐熱性と特に高い強度とを備える。遮断機器は、特に緩衝層あるいは緩衝区域を形成するのに役立ち得るエラストマープラスチックを備えてもよい。
【００３２】
繊維構造要素は、エンドレス繊維（つまり長さが５０ｍｍ以上）を備えるか、あるいは部分的あるいはほぼ完全にエンドレス繊維として形成されていることが好ましい。それによって繊維複合材料の堅固性をさらに高めることになる。繊維構造要素は、好適には平滑なフィラメント糸あるいは代替的にロービングを備えるか、あるいは部分的あるいはほぼ完全に平滑なフィラメント糸あるいは代替的にロービングとして形成されている。さらに、繊維構造要素が、それぞれ好適には個別に、あるいは組み合わさって半製品を形成することが好ましい。すなわち、織物、ノンクリンプ織物、多軸ノンクリンプ織物、刺繍、編物、マット、フリース、ファインカット、特にエンドレス繊維たとえばロービングを織ることによるスペーサ織物である。特に好ましくは、繊維構造要素はノンクリンプ織物を形成する。なぜならノンクリンプ織物は、特に良好な機械的特性を備えるからである。ノンクリンプ織物においては、繊維は理想的には平行してかつ伸びている。本質的にはエンドレス繊維が用いられる。ノンクリンプ織物は、紙あるいは糸で留められてまとめられてよい。ノンクリンプ織物は好適には、特に積層となっている多軸ノンクリンプ織物である。このノンクリンプ織物では、繊維は平面にのみ配向されているわけではない。好適には、層間剥離作用と衝撃作用とを改善するために、付加的な繊維が、積層平面に対して垂直に配向されている。
【００３３】
好適には遮断機器、特に第１材料および／あるいは第２材料あるいは繊維複合材料は、ポリオキサゾール、特にポリ（ｐ‐フェニレン‐２，６‐ベンゾビスオキサゾール；ＰＢＯ）を備え、これはザイロン（登録商標）の商品名で、日本の大阪の製造業者である東洋紡の合成繊維として知られている。融点は６５０℃であり、ザイロンは小さな密度で特に高い耐熱性と機械的堅固性とを備え、それゆえ、より安全な輸送装置を形作るのに特に適している。好適には、たとえばプラスチック、たとえばＰＥあるいはＵＨＭＷＰＥ、あるいは金属から成る、特に腐食からポリオキサゾールを保護する、ポリオキサゾールのための保護層あるいは材料被覆体が意図されている。
【００３４】
好適には、遮断機器特に第１材料および／あるいは第２材料あるいは繊維複合材料は、ＵＨＭＷＰＥ（超高分子量ポリエチレン）、特にダイニーマを備えるか、あるいはダイニーマから構成されている。ダイニーマは、高い引張強度を有する高強度ポリエチレン繊維（ＰＥ）であって、高結晶質で高延伸のＵＨＭＷＰＥである。特に、軽くて抗摩耗性のある、衝撃と射出物に対して強い材料として適しており、それゆえより安全な輸送装置を形作るのに特に適している。
【００３５】
好適には、遮断機器は浸透複合材料を備え、特に第１材料と第２材料とが、浸透複合材料の構成部材である。そのような浸透複合材料では、たとえばたいていの繊維複合材料のように、個々のコンポーネントが互いに接合しているだけでなく、互いに浸透し合っている。その結果、たとえば耐熱性についてより安全な輸送装置に有利に利用できる材料特性を達成できる。炭化ケイ素（ＳｉＣ）が、そのような浸透複合材料である。
【００３６】
好適には、遮断機器、特に第１材料および／あるいは第２材料あるいは繊維複合材料は、セラミック材料、たとえば工業用セラミックを備えるか、あるいはセラミック材料から構成される。セラミック材料は、さらに好適には、セラミック繊維複合材料、特に、セラミック繊維によって強化され、それによって繊維強化セラミックあるいは複合セラミックあるいは繊維セラミックあるいはＣＭＣと呼ばれる、通常のセラミックから成る長繊維の間に埋め込まれたマトリックスである。マトリックスと繊維とは、周知のセラミック材料から構成され、この関連においては、炭素もセラミック材料と見なされる。セラミック繊維は、多結晶材料あるいは非結晶材料を備えてよいか、あるいは多結晶材料あるいは非結晶材料から構成されていてよい。セラミック繊維は、結晶アルミナ、ムライト、ほぼ結晶質であってよい炭化ケイ素、酸化ジルコニウム、繊維方向にグラファイト平面を有する炭素繊維、炭化ケイ素から成る非結晶繊維から構成されてよい。あるいは、これらの材料をそれぞれ備えてよい。セラミック繊維複合材料の利点は、セラミックの利点と同様に、高い耐熱性と耐熱交換性とにあるが、セラミックの比較的小さい耐破断性と熱衝撃に対する比較的高い脆さとを備えていない。この特性によって、これらの材料は、より安全な輸送装置を形作るのに有利に使用可能である。酸化物を用いる繊維強化セラミックは、良好な電気絶縁性を有し、その多孔性ゆえに、多くの酸化セラミックよりさらに良好な断熱効果を備える。セラミック繊維複合材料は、特に少なくとも部分的にあるいは遮断機器の層として好まれる。なぜなら、セラミック繊維複合材料は、たとえば、多くの金属材料や金属構成部材よりも、さらに腐食や熱に対して脆くないからである。重量を軽くするという利点だけでなく、セラミック繊維複合材料を用いれば、結果的に輸送装置の寿命をより長くできる。セラミック繊維複合材料は、さらに負担のかかる課題を引き受けることができ、特に輸送装置あるいは収容装置のフレームあるいは台枠を形成あるいは支持でき、あるいは摩耗に対する機械的保護として、かつ穿刺／衝撃の保護として使われ得る。
【００３７】
好適には、遮断機器および／あるいは第１材料および／あるいは第２材料は、鋼あるいは鋼板を備え、好適にはＤＩＮ  ＥＮ  ＩＳＯ１２９４４−５に従った二重システムとして、好適にはそれぞれ亜鉛メッキをされている。これらは、高い機械的堅固性を示し、特に衝撃と射出物とに対して強くて耐熱性があり、それゆえより安全な輸送装置を形作るのに特に適している。鋼板の厚さは、たとえば１ｍｍから１０ｍｍであってよく、好適には１．４ｍｍから２．１ｍｍであってよい。１．０ｍｍから５．０ｍｍの厚さは、輸送装置の許容可能な総質量での高い堅固性をもたらす。
【００３８】
好適には、遮断機器および／あるいは第１材料および／あるいは第２材料は、アルミニウムおよび／もしくは亜鉛−銅、亜鉛、鉛あるいは鋼／鉄、またはそれらの合金と、特に好ましくは、それらから構成される金属発泡体を備え、好適には高い堅固性で比較的密度の小さいアルミニウム発泡体を備える。輸送装置の構成部材、好適にはそれぞれ１つのプレート、壁（底壁、側壁あるいは頂壁）、フレーム、台枠、パイプあるいは支柱が、金属発泡体で満たされていることが好ましい。発泡体で満たされたパイププロファイルとサンドイッチプレートとは、輸送装置の構成の半製品として使われ得る。アルミニウム発泡プレートはたとえば、発泡剤が添加された、たとえば約１．５％のカルシウムを有するアルミニウム合金から構成される。この発泡剤、たとえば水素化チタン（ＴｉＨ）は、アルミニウム溶融物の溶融過程の間に混ぜられる。溶融過程で、発泡剤の中の水素分が泡になる。続いて溶融物を冷却すると、それによってアルミニウムマトリックスの中に細孔が生じる。そのようにして作られたアルミニウム発泡体の密度（たとえば０．２−０．２５ｇ／ｃｍ３）は、純アルミニウム（２．７ｇ／ｃｍ３）のおよそたった１０−１５％である。
【００３９】
遮断機器および／あるいは第１材料および／あるいは第２材料が、金属製のコーティングを備えるか、もしくは形成することがさらに好ましく、たとえばアルミニウムのような金属あるいは金属合金から成るこの金属製のコーティングは、熱シールドとして特に熱線の反射に役立つことができ、このことは、より安全な輸送装置を形作るのに特に好ましい。
【００４０】
好適には、材料の少なくとも１つは、（たとえば突き刺さる破片あるいは射出物の）作用する運動エネルギーを吸収し、変形エネルギーおよび／あるいは熱エネルギーに変換させる特性を備える。そのような特性を有する材料は、たとえば、材料の非可逆的変形が始まる剪断応力として定義され得る、いわゆる降伏点によって特徴付けられている。そのような材料はしばしば、防弾材料あるいは耐弾材料あるいは「ブレットプルーフ」材料である。特に好ましくは、繊維複合材料である。しかし、たとえばポリマーベースあるいは金属ベースの別の材料が、少なくとも部分的に、突き刺さる破片あるいは射出物を受け止めるが、再び放出しない、もしくはこれらを跳ね返すのであれば、そのような材料が用いられてもよい。貫通しない特性を備える典型的な材料は、アラミド繊維あるいはポリベンザゾール繊維を備える。しかしながら、当業者に貫通しない材料として知られる別の複合材料も考えられ得る。好適には遮断機器および／あるいは第１材料および／あるいは第２材料は、ポリマー混合材料を備える。これは、たとえばエポキシ樹脂と、たとえばコーン繊維と菜種繊維のような天然繊維とを備えるか、あるいはエポキシ樹脂と、たとえばコーン繊維と菜種繊維のような天然繊維とから構成されてよく、多孔性であってよく、かつ剛性材料よりも爆発あるいは衝突のエネルギーをより吸収できる。破壊的な圧力ピークに、そのようにして抵抗することができる。
【００４１】
さらに好適には、遮断機器は、様々な材料の別の組み合わせから構成されるか、あるいは様々な材料の別の組み合わせを備えてよい。それによって、砂粒、ゲル、ノンクリンプ織物、発泡体あるいはその他の材料が、たとえば金属から成る２つのプレートの間に設けられていることが考えられ得る。遮断機器はフレキシブルに形成されていてよく、これはたとえば繊維複合材料あるいはエラストマーを用いることによって保証され得るが、遮断機器は比較的非弾性に形成されていてもよく、これはたとえば、金属プレートあるいはセラミック材料を用いる場合に可能であろう。しかも遮断機器は、フレキシブルな構成部材も、付加的に剛性のある構成部材も備えてよい。さらに好適には、４００℃まで、好適には１０００℃まで、好適には１５００℃まで、好適には２０００℃まで、あるいはそれ以上の温度で、その防弾特性をわずかしか失うことのない材料、たとえばＳｉＣを含有するセラミック繊維複合材料が用いられる。
【００４２】
好適には、少なくとも１つの収容装置あるいは収容装置の部分が、材料接続的におよび／あるいは力接続的におよび／あるいは形状接続的に、少なくとも１つの遮断機器と接合されていてよく、特に固定式に（破壊せずに分離不可能）あるいは分離可能に（つまり指示に従い破壊せずに分離可能）に接合されていてよい。
【００４３】
好適には収容装置は、ユーロパレットあるいはユニットロードデバイス（ＵＬＤ）あるいはその他の下敷きに係合するためのたとえば突起部、あるいは金属製の下敷き、あるいはたとえば弾性的に変形可能であってよい土台要素に保持するための（電）磁気的保持要素などを備えることによって、特に、任意の基礎プレートに容器を載せるために構成されていてよい下側を備える。下側は好適には、本質的に少なくとも１つの平坦なセクションを備えるか、あるいはほぼ平坦であるので、輸送装置を指示に従って配置した場合に、この平面の法線が重力方向に対して垂直に延在する。これは、本願発明の記述の枠内においては、「下方」（それに対応して、正のｚ方向は「上方」）とも呼ばれる、負のｚ方向に相当する。向かい合って、つまり下側の上に、収容装置は上側を備える。
【００４４】
収容装置は、好適には１つのフレームあるいは１つの台枠を備えるか、あるいはこの台枠から構成される。これはそれぞれ好適には、収容容積を枠内に入れるかあるいは張るように形成されている。好適には、収容装置特にフレームあるいは台枠は、収容装置の機械的負荷に対する安全性を与える堅固性を保証するために形成されている。好適には収容装置は、収容装置内部の、±１バール以上もしくは以下の過剰圧力あるいは低圧力による負荷に耐え、この圧力差は、収容装置の内部をその外部に対して画定する、概念的な、あるいは現実の収容装置の被覆体に対して作用する。好適には収容装置は、ほぼ損傷を受けることなく、好適には１３０Ｎ／ｃｍ２までの、あるいはそれ以上の外部負荷に耐える。好適には収容装置は、爆発、爆燃、デフラグレーションあるいはデトネーションの場合に、生じた破片や射出物が収容装置の内部に入ったり、もしくは収容装置の内部から出たりできないように形成されている。収容装置は好適には防弾性を備え、当該防弾性は、それぞれ好適には、ヨーロッパ規格ＥＮ１５２２によって決められた抵抗力階級ＦＢ１、ＦＢ２、ＦＢ３、ＦＢ４、ＦＢ５、ＦＢ６、ＦＢ７あるいはＦＳＧの少なくとも１つ、あるいは特に遮断機器がガラスを備える場合には、ＥＮ１０６３によって決められた抵抗力階級ＢＲ１、ＢＲ２、ＢＲ３、ＢＲ４、ＢＲ５、ＢＲ６、ＢＲ７あるいはＳＧ２の１つに相当する。
【００４５】
フレームあるいは台枠は固定機器を備えてよく、その結果収容装置とひいては輸送装置を固着でき、すなわち、周囲たとえば輸送手段の床に対するその移動性を制限し好適には阻止することができる。固定機器は力要素を備えてよく、当該力要素を用いて、周囲の補完的係合手段によって輸送装置を係合することで固定を達成できる。補完的固定手段たとえば補完的係合手段は、収容装置あるいは輸送装置自体にも設けられていてよい。この場合、たとえば複数の輸送装置の複合体を形成するために、あるいはたとえば複数の接合された収容装置を有する輸送装置を形成するために、複数の輸送装置および／あるいは収容装置が互いに接合、たとえば係合されてよい。輸送装置の複数の収容装置を結合させることによって、その可動性が制限され、それによって保管時あるいは輸送時の安全性を高めることができる。
【００４６】
収容装置は、好適には基礎プレートを備える。基礎プレートは、特に２０００ｋｇまで、あるいはそれ以上の負荷に対して強固な、好適には直方体形の本体によって形成されてよく、たとえば、工業規格に従った少なくとも１つのプレート、たとえばユーロパレット、好適にはＤＩＮ  ＥＮ１３６９８に従ったユーロパレット、あるいは好適には底面積が０．１から２ｍ２、好適には０．５から１．５ｍ２、好適には０．７から１．０ｍ２、好適には０．９６ｍ２の別の基礎プレート、あるいは別の標準プレートによって形成されてよい。
【００４７】
前述の基礎プレートは、たとえばユニットロードデバイス（ＵＬＤ）パレットであってよく、あるいはＵＬＤパレットの寸法を備えてよく、アルミニウム板から構成されていてよく、好適にはＬＤ８パレットであってよく、あるいはＵＬＤパレットの寸法を備えてよく、ＬＤ１１パレットあるいはＬＤ７パレットであってよく、あるいはそれぞれその寸法を備えてよい。好適にはＵＬＤパレットあるいは基礎プレートは、底面積が１から１０ｍ２、好適には３から７ｍ２、好適には５ｍ２までである。好適には底面積は、より大きくてもよく、あるいはより小さくてもよい。
【００４８】
好適には基礎プレートは、好適にはユーロパレットとして構成されて、長手外寸が１００から２０００ｍｍ、好適には８００から１５００ｍｍ、好適には１０００から１３００ｍｍ、好適には１２００ｍｍである。好適には基礎プレートは、好適にはユーロパレットとして構成されて、幅外寸が５０から２０００ｍｍ、好適には３００から１５００ｍｍ、好適には７００から１２００ｍｍ、好適には８００ｍｍであり、高さ外寸が１０から５００ｍｍ、好適には５０から３５０ｍｍ、好適には７０から２００ｍｍ、好適には１４４ｍｍである。好適には、基礎プレートの長手外寸および／あるいは幅外寸および／あるいは高さ外寸は、より大きくあるいはより小さくてもよい。しかし基礎プレートは好適には、長手外寸が好適には５００から３０００ｍｍ、好適には１５００から２５００ｍｍ、好適には１５３０ｍｍもしくは２２４０ｍｍであるＵＬＤパレットとして構成されていてもよい。その際好ましい幅外寸は、好適には１５００から４０００ｍｍ、好適には２０００から３５００ｍｍ、好適には２４４０ｍｍもしくは３１８０ｍｍである。好適には、長手外寸および／あるいは幅外寸は、より大きくてもよく、あるいはより小さくてもよい。
【００４９】
標準化された基礎プレート、たとえばユーロパレットあるいはＵＬＤパレット、あるいは自らの寸法および／あるいは荷重能力を備える基礎プレートの利用には、輸送と倉庫保管とですでに備わっている多くの機器、たとえばトラック、貨車、船舶コンテナあるいは航空機の積載面を最適に利用できるという利点がある。なぜなら、これらはしばしばすでにこれらの基礎プレートの標準寸法に最適に合わせられているからである。さらに基礎プレートは、収容装置を基礎プレートに固着するための、あるいは輸送装置をその周囲に対して固着するための固定機器を含んでおり、その結果固着が可能となり、すなわち収容装置あるいは輸送装置の移動性が制限され、好適には阻止される。
【００５０】
基礎プレートあるいは輸送装置は好適には、フォークリフトによって輸送可能および／あるいは積載可能なように形成されている。このために基礎プレートあるいは輸送装置は好適には、フォークリフトのフォークが噛み合うために形成されている、少なくとも１つの切欠き領域あるいは開口領域を備える。基礎プレートは、たとえば（外寸がたとえばユーロパレットあるいはＵＬＤパレットの高さおよび／あるいは幅および／あるいは奥行の）標準パレットのように形成されていてよく、基礎プレートは、１つあるいは複数の土台要素と１つの支承プレートセクションとを備えてよい。土台要素は好適には、収容装置が支承され得る支承プレートセクションの下部に設けられているか、もしくは当該支承プレートセクションと接合されている。第２の支承プレートセクションは、標準パレットの場合と同様に、土台要素の下部に備わっていてよい。この方法で、輸送装置は、より問題なく現存のロジスティックシステムに順応する。
【００５１】
基礎プレートの規模は、好適には任意のフレームあるいは台枠の規模に相当し得る。しかし基礎プレートの規模は、フレームあるいは台枠の規模よりも大きくてもよく、あるいは小さくてもよい。
【００５２】
収容装置は、閉鎖機器、たとえば蓋機器として形成され得る閉鎖プレートを備えてよい。閉鎖機器は、特に収容装置と接合可能な別個の部材であってよく、あるいは収容装置と固定式に、つまり破壊せずに分離不可能に接合されていてよい。収容装置はさらに、閉鎖機器を保持するための保持機器を備えてよい。保持機器は、ヒンジ構造体あるいはレール構造体を備えてよく、その結果、閉鎖構造体は旋回閉鎖器あるいはスライド閉鎖器として実施可能である。閉鎖プレートは固着機器を含んでよく、その結果、閉鎖プレートは収容装置に固着され得る。固着機器はたとえば係合手段を含んでよく、あるいは磁気的閉鎖要素あるいはリング要素を含んでよい。
【００５３】
閉鎖プレートの規模は、任意のフレームあるいは任意の台枠の規模に相当し得る。しかし閉鎖プレートの規模は、フレームあるいは台枠の規模よりも大きくてもよく、あるいは小さくてもよい。
【００５４】
収容装置は、開放型あるいは閉止型容器として形成されていてよく、あるいは、たとえば基礎プレートとフレーム、あるいは台枠と閉鎖プレートとを備え得る容器を備えてよい。容器は好適には、たとえば中空円筒状に成形され得る少なくとも１つの側壁を備え、あるいは好適には、ほぼ直方体形の容積を取り囲む少なくとも４つの接合された側壁を備える。好適には収容装置はＵＬＤコンテナとして構成されており、当該ＵＬＤコンテナは、少なくとも１つの領域が基礎プレートもしくはカバープレートに対して９０度とは異なる角度で設けられている２つの側壁から成るように構成されており、その結果、ほぼＵ字型の容器の構成が作られる。好適には、そのような航空貨物コンテナは、ＬＤ１コンテナ、ＬＤ２コンテナ、ＬＤ３コンテナ、ＬＤ６コンテナ、ＬＤ７コンテナ、ＬＤ８コンテナ、ＬＤ９コンテナあるいはＬＤ１１コンテナとして構成されている。
【００５５】
好適には容器の収容容積は、たとえば好適には１〜１０００ｄｍ３、１００〜８００ｄｍ３、２００〜７００ｄｍ３、５００〜７００ｄｍ３あるいはこれより多いかあるいは少ない液体容積を収容するのに適しており、それを少なくとも重力方向に（下に向かって）重力で漏れ出ないように保護するのに適している。
【００５６】
輸送装置の構成部材、たとえば基礎プレートあるいはフレームあるいは台枠あるいは収容装置の側壁は、それぞれの危険物を収容するのに適した、任意の材料から構成されてよく、好適には、加工された、たとえばコーティングされたあるいは未加工の木材、あるいはそれぞれ同様のプラスチック、金属、鋼、アルミニウム、薄板、厚板、繊維、繊維製品もしくはフェルト、あるいは複合材料である。好ましい材料は、特に鉄を含有する合金、鋼、アルミニウムあるいはチタンあるいはマグネシウムのような軽金属、特にポリプロピレンあるいはポリエチレンあるいはポリアミドのようなプラスチックであり、当該プラスチックは、特に架橋されており、特に充填材および／あるいは織物／ノンクリンプ織物、特にガラス繊維および／あるいは炭素繊維および／あるいはアラミド繊維および／あるいはポリベンザゾール繊維、あるいはこれらの組み合わせで補強されている。しかし、架橋されていないプラスチック、エラストマー、ゲル、ガラス粒子あるいは砂粒、繊維マットあるいはノンクリンプ織物あるいは、特に鋼、軽金属、特にポリウレタンあるいはポリスチレンのようなポリマーから成る発泡体、あるいはこれらの組み合わせが用いられてもよい。特に材料は、付加的に、難燃性もしくは耐火性の特性を備える。特に、用いられる材料の使用温度は、４００℃まで、好適には１０００℃まで、好適には１５００℃まで、好適には２０００℃まで、あるいはそれより高い。特に適切でそれゆえ好ましい耐火性あるいは難燃性のある材料は、たとえばアラミド、エポキシ樹脂、ポリベンザゾールあるいはその他から成る材料のような耐熱性のポリマー、当業者に周知の耐熱性のポリマー、あるいは合金あるいは溶融しにくい金属のような金属ベースの材料、あるいはセラミック材料、あるいはこれらの組み合わせである。
【００５７】
たとえば基礎プレート、側面、フレームもしくは台枠、及び閉鎖プレートのような構成部材は、好適には材料接続的におよび／あるいは力接続的におよび／あるいは形状接続的に互いに接合されていてよく、それによって、好適には、特に危険な場合に、輸送装置から周囲への望ましくない物質流出とその逆に周囲から輸送装置への物質流入とを減少させ、さらに好ましくは防止することができる。収容装置あるいは輸送装置は、材料接続的におよび／あるいは好ましくは力接続的におよび／あるいは特に好ましくは形状接続的に他のモジュールと接合可能であるモジュールとして形成されていてよく、それによって、輸送装置内部の収容装置のコンパクトな複合体あるいは輸送装置の複合体を手に入れることができる。
【００５８】
収容装置は、フレキシブルに、特に弾性を有して、すなわちたとえば０．５ｋＮ／ｍｍ２（あるいは０．１あるいは０．０５）より小さい弾性係数を有して形成されていてよく、これは、エラストマー、たとえばシリコンゴムを用いることによって達成され得る。代替的にあるいは付加的に、収容装置は剛性を有して、特にほぼ弾性を有さずに形成されていてよく、たとえば弾性係数は０．５ｋＮ／ｍｍ２（あるいは０．１あるいは０．０５）より大きい。さらに収容装置は、剛性の構成部材と組み合わされた、あるいは剛性の構成部材を有しない、たとえば安全機器にも配設され得るフレキシブルな構成部材を備えてよい。弾性の特性は、たとえば外部から収容装置に作用する機械的衝撃を吸収でき、それによって損傷を防ぐことができるという利点をもたらす。剛性の特性は、望ましくない変形を防ぎ、形状の安定性をもたらし、それは同様に、堅固な収容装置を準備するために好ましい場合がある。
【００５９】
好適には収容装置は、少なくとも１つの緩衝機器を備える。この緩衝機器は、弾性を有する、あるいは弾性を有さずに変形可能な１つあるいは複数のセクションを備え、当該セクションを用いて、たとえば機械的衝撃の際、たとえば衝突状況の際に、機械的衝撃あるいは振動をほぼ吸収するように、運動エネルギーが変形エネルギーと熱エネルギーとに変換され得る。それによって貨物を保護できる。そのようなセクションは、それぞれ任意の側壁、閉鎖機器、基礎プレート、フレームあるいは台枠の構成部材、あるいは収容装置の被覆体であってよい。セクションの数は、１、２〜５、６〜１０、１１〜２０、３０〜５０、あるいはそれ以上であってよい。セクションは、収容装置の１つあるいは複数の側面に設けられていてよく、特に均等に、たとえば等距離に分散されていてよい。さらにこれらのセクションは、収容装置に、あるいはその構成部材の１つに設けられているか、あるいは固着されている、別個の部材であってよい。たとえばこの変形可能なセクションは、「外部バッファゾーン」を形成するように、収容装置のまとまった、あるいは部分的な被覆体として形成されていてもよい。
【００６０】
好適には収容装置は、ほぼ唯一の構成部材を備えてよく、たとえばアルミニウム複合フィルムあるいはアルミニウム部分として一体化して成形されていてよく、および／あるいは複数の構成部材、たとえば基礎プレート、フレームあるいは台枠、あるいは閉鎖プレートを備えてよい。
【００６１】
輸送装置は、第１収容装置が少なくとも１つの第２収容装置を完全に、あるいは少なくとも部分的に取り囲むように形成されていてよい。第１収容装置は、少なくとも第２収容装置と、第１収容装置の周囲及びひいては輸送装置全体との間に作用関係がないように、少なくとも１つの第２収容装置を完全に、あるいは少なくとも部分的に取り囲んでよい。第１収容装置は、少なくとも第２収容装置と周囲との間の作用関係が起こり得るように、少なくとも第２収容装置を完全に、あるいは部分的に取り囲んでよい。第１収容装置は、少なくとも１つの第２収容装置と作用関係にあってよい。第１収容装置は、少なくとも１つの第２収容装置と作用関係になくてよい。第１収容装置は、少なくとも１つの第２収容装置と共通の部分を備えてよい。第１収容装置は、材料接続的におよび／あるいは力接続的におよび／あるいは形状接続的に、少なくとも１つの第２収容装置と接触してよい。
【００６２】
少なくとも１つの第１収容装置と第２収容装置とのこれら組み合わせの可能性によって、機能性、柔軟性、収容安全性、内容物保護、及び操作性に対して特別な利点を有する輸送装置を作り上げることができる。
【００６３】
好適には第１輸送装置は、輸送装置に設けられているか、あるいは取り付けられていてよいか、あるいは少なくとも部分的に別個に備わっていてよい接合機器によって、少なくとも１つの第２収容装置と、好適には材料接続的におよび／あるいは力接続的におよび／あるいは形状接続的に接合されてよい。
【００６４】
一実施形態においては、収容装置は外装であり、当該外装は外部への環境に対して輸送装置を少なくとも部分的に画定し、特に再利用可能であるか、あるいは再利用不可能であり、それに応じて使用後は再利用されるか、あるいは再利用され得ない。
【００６５】
一実施形態においては、収容装置は回収包装装置であり、当該回収包装装置は貨物をたとえば危険状況（たとえば事故や保管の損傷時）から回収できるように、当該貨物を繰り返し可能に収容でき、かつ好適には再利用可能であり、それに応じて使用時には再利用され得る。
【００６６】
好適には輸送装置は、遮断機器に加えて少なくとも１つの安全機器を備える。安全機器は、単独であるいは他の安全機器と組み合わせて、輸送装置の構成要素であってよい。好適には、少なくとも１つの収容装置および／あるいは少なくとも１つの遮断装置あるいは収容装置の部分は、材料接続的におよび／あるいは力接続的におよび／あるいは形状接続的に、少なくとも１つの安全機器と接合されていてよい。
【００６７】
安全機器は、収容装置および／あるいは遮断機器の内部にあってよい。安全機器は、収容装置および／あるいは遮断機器の外側に接して存在してよい。安全機器は、第１収容装置と少なくとも１つの第２収容装置および／あるいは遮断機器との間にあってよい。安全機器の部分は、収容装置および／あるいは遮断機器の外側に接して、および／あるいは収容装置および／あるいは遮断機器の内部に設けられていてよい。
【００６８】
安全機器は、収容装置および／あるいは周囲および／あるいは遮断機器と、作用関係にあってよい。安全機器は、収容装置と周囲および／あるいは遮断機器と、作用関係になくてよい。
【００６９】
一実施形態においては、少なくとも２つの安全機器が備わっていてよい。少なくとも２つの安全機器は、収容装置および／あるいは遮断機器の内部にあってよい。少なくとも２つの安全機器は、収容装置の外側に接して存在してよい。少なくとも２つの安全機器は、収容装置および／あるいは遮断機器の間にあってよい。少なくとも２つの安全機器は、収容装置および／あるいは遮断機器の外側に接している部分、および／あるいは収容装置および／あるいは遮断機器の内部の部分を備えてよい。
【００７０】
少なくとも２つの安全機器は、収容装置および／あるいは遮断機器と作用関係にあってよい。少なくとも２つの安全機器は、収容装置および／あるいは遮断機器と作用関係になくてよい。少なくとも２つの安全機器は、周囲と作用関係になくてよい。少なくとも２つの安全機器は周囲と作用関係にあってよい。
【００７１】
少なくとも２つの安全機器は互いに作用関係にあってよい。少なくとも２つの安全機器は互いに作用関係になくてよい。少なくとも２つの安全機器は、互いにおよび／あるいは収容装置および／あるいは遮断機器および／あるいは周囲と作用関係にあってよい。少なくとも２つの安全機器は、互いにおよび／あるいは収容装置および／あるいは遮断機器および／あるいは周囲と作用関係になくてよい。少なくとも２つの安全機器は、少なくとも１つの収容装置および／あるいは遮断機器と周囲と作用関係にあってよい。少なくとも２つの安全機器は、少なくとも１つの収容装置および／あるいは遮断機器と周囲と作用関係になくてよい。
【００７２】
複数の安全機器は、同じ目的、たとえば火災の回避に役立ってよい。複数の安全機器は、異なる目的に役立ってよく、たとえば、第１安全機器は火災の回避に、第２安全機器は流出する液体を受け止めるのに役立ってよい。
【００７３】
有利には、火災の回避および／あるいは火災の抑制のための少なくとも１つの安全装置は輸送装置の構成部材である。有利には、輸送装置からその周囲への物質流出を防ぐための少なくとも１つの安全装置は輸送装置の構成部材である。
【００７４】
有利には、少なくとも２つの安全機器と少なくとも１つの遮断機器とが備わっており、少なくとも１つの第１安全機器は、火災の回避および／あるいは火災の抑制に役立ち、少なくとも１つの第２安全機器は、収容装置内部からの固形、液状あるいはガス状の（化学）物質の収容および／あるいは除去に役立ち、少なくとも１つの遮断機器は、たとえば爆発で生じかねない飛び散る破片あるいは射出物を受け入れおよび／あるいはブレーキをかけさせることができるが、（たとえば破片あるいは射出物が貫通することによる）放出はさせ得ない。その際、飛び散る破片あるいは射出物の飛行方向が、輸送装置の周囲から輸送装置の内部へであろうと、その逆であろうと、それは重要ではない。
【００７５】
安全機器は、それぞれ好ましくは、輸送装置の組立ての前、最中、後にはめ込まれてよい。
【００７６】
有利には、安全機器、特に消火剤を有する容器が第１収容装置に配置されており、特に安全機器は、最低温度および／あるいは最低圧力で消火剤を放出する。好適には、素早く分解するカプセルが、最低温度および／あるいは最低圧力で消火剤の放出を引き起こす。好適には消火剤の放出は噴霧によって行われる。
【００７７】
好適には、安全機器は容器として、好適にはパッドとして形成されている。パッドとは内容物を含む容器と理解され得る。パッドは好適には、中身たとえば、好適には乾燥しているかゲル状かあるいは液状であるかあるいは好適にはエアロゾル消火剤を備える消火剤を収容するための内室を備える。好適には前述の中身を収容するための空間はパッドの被覆体によって定義され、パッドの被覆体は、好適にはフレキシブルである。好適には、被覆体はフィルム状に形成されている。被覆体は、複数の部分から形成されるか、あるいは一体的に形成されていてよい。好適には、パラメータの特定の値を上回るか下回った場合たとえば圧力が上がった場合あるいは温度が上がった場合に開いて、中身を周囲に解放する設定破断箇所が、被覆体の中の特定の位置に取り付けられている。そのような設定破断箇所は、たとえばシーム、特に溶接シームとして形成されていてよい。
【００７８】
好適には、被覆体の中あるいは被覆体の内部に、パラメータの特定の値を上回るか下回った場合、たとえば圧力が上がった場合あるいは温度が上がった場合に素早く分解するカプセルがあり、当該カプセルは、たとえばガスの放出によって被覆体内部の圧力上昇を引き起こし、それによって好適には１つあるいは複数の設定破断箇所が開くことによって消火剤が放出され、好適には噴霧される。しかし被覆体内部に、活性化の後、たとえば規定値を超える温度上昇の後に活性化され、素早く膨張する消火剤たとえばエアロゾルに変化する消火剤があることも考えられ得る。
【００７９】
一実施形態においては、有利には少なくとも１つの安全機器が、消火機器、好適には、ドイツ工業規格ＤＩＮ１４４９７を満たす消火設備として形成されている。好ましくは消火機器は、少なくとも１つの消火剤あるいは消火剤の混合物を含む。消火剤は不活性ガス、特にＣＯ２、ＡｒあるいはＮ２から、あるいは混合ガスから構成されてよく、あるいは不活性ガス、特にＣＯ２、ＡｒあるいはＮ２から、あるいは混合ガスを備えてよい。消火剤は、反応抑制剤および／あるいは発泡ウレタンから構成されてよく、あるいはこれを備えてよい。消火剤は、少なくとも１つの消火添加剤を含み得る冷却水から構成されてよく、あるいは少なくとも１つの消火添加剤を含み得る冷却水を備えてよい。消火剤はさらに、エアロゾルから構成されてよく、あるいはエアロゾルを備えてよい。このエアロゾルは乾燥エアロゾルであってよい。消火剤は消火粉末、特にＡＢＣ粉末、ＢＣ粉末あるいはＤ粉末であってよい。
【００８０】
好適には、自らの重量の何倍もの水を吸収するポリマー組成物から成る少なくとも１つの消火添加剤と、均等に濃縮された水から成る、空気を含まずに粘着力と熱遮蔽性とを有するジェルとが用いられる。
【００８１】
好適には、少なくとも１つの消火添加剤は、平坦で垂直な面に対しても良好な接着力を有する。好ましくは１０ｍｍまでの層厚が形成される。しかし層厚は、より大きくてもよく、あるいはより小さくてもよい。好適には、少なくとも１つの消火添加剤は、物理的化学的特性によって、高温でも水の蒸発率を減少させる。さらに好ましくは、それによって消火水の消費が低下する。好適には少なくとも１つの消火添加剤は、少なくとも部分的に生物学的に分解可能である。特に好ましい消火添加剤は、２０℃で製品粘性が２００〜５００ｍＰａｓである。しかし製品粘性は、より大きくてもよく、あるいはより小さくてもよい。さらに特に好ましい消火添加剤は、密度が１．０５ｇ／ｃｍ３である。しかし密度は、より大きくてもよく、あるいはより小さくてもよい。
【００８２】
特に好ましい消火（添加）剤は、２０℃でｐＨ値が６．９〜７．１である。しかしｐＨ値は、より大きくてもよく、あるいはより小さくてもよい。消火（添加）剤の好ましい調量率は、火災抑制の場合に１．０％〜１．５％、遮蔽の場合に２．０％〜３．０％、消火設備で１．０％〜２．０％である。しかし調量率は、より大きくてもよく、あるいはより小さくてもよい。そのような消火添加剤は、たとえばドイツのエボニック社の商品名「Firesorb」で販売されている（２０１０年；認可番号ＰＬ１−９８）。
【００８３】
好適には、少なくとも１つの安全機器は圧力除去機器を備え、当該圧力除去機器は、好適には再密封可能であり、特に１つのバルブたとえばホルビガーバルブおよび／あるいはフラップ、たとえば複数の薄片を備え得るマルチフラップを備えてよく、隣り合う薄片は、閉じられた状態では互いに接触し合ってよい。フラップは、特にバネ荷重フラップであってよい。安全機器はさらに、設定破断箇所を、特に収容装置の部分内、たとえば閉鎖機器内に備えてよい。
【００８４】
好適には、少なくとも１つの遮断機器は爆発保護機器として形成されている。爆発保護とは、デトネーション保護、爆燃保護あるいはデフラグレーション保護をも意味する。好適には爆発保護機器は、破片／射出物が収容装置の内部に入る、もしくは破片／射出物が収容装置の内部から出るのを減少させ、好適には最小限に抑え、好適には防ぐことができる。遮断機器は好適には防弾性を備え、当該防弾性は、それぞれ好適には、ヨーロッパ規格ＥＮ１５２２によって決められた抵抗力階級ＦＢ１、ＦＢ２、ＦＢ３、ＦＢ４、ＦＢ５、ＦＢ６、ＦＢ７あるいはＦＳＧの少なくとも１つ、あるいは特に遮断機器がガラスを備える場合には、ＥＮ１０６３によって決められた抵抗力階級ＢＲ１、ＢＲ２、ＢＲ３、ＢＲ４、ＢＲ５、ＢＲ６、ＢＲ７あるいはＳＧ２の１つに相当する。
【００８５】
好適には爆発保護機器は、当該爆発保護機器に作用する射出物／破片の運動エネルギーを、好適には少なくとも部分的に、好適には完全に吸収し、熱エネルギーおよび／あるいは変形エネルギーに変換させることができ、その結果作用する破片／射出物は、少なくともブレーキをかけられ、好適には止められる（Ｅｋｉｎ＝０ｍ／ｓ）。この過程では、爆発保護機器および／あるいは作用する破片／射出物は、変形エネルギーの作用によって変形され、および／あるいは発生する熱エネルギーの作用によって加熱される。
【００８６】
好適には、爆発保護機器あるいは遮断機器は、ガス漏れしないか、および／あるいは繊維強化されたフィルムを備え、当該フィルムは、高圧（すなわち通常圧１．０２８バールとは異なる圧力値）の際には、フィルムで周りを囲まれた空間の内部で、好適には規定されたあるいは規定されていない方向、好適には規定されたあるいは規定されていない２つまでの方向、好適には規定されたあるいは規定されていない４つまでの方向、好適にはすべての方向に膨張する。前述のフィルムは、少なくとも部分的に炭素繊維あるいはアラミド繊維あるいはガラス繊維を備える。繊維とは、織物あるいはノンクリンプ織物あるいはフリースとも理解され得る。好適にはフィルムは繊維強化複合材料として形成されていてもよい。好適には爆発保護機器は、流下可能な物質たとえば砂および／あるいは流体を備える。好適には流体は粘性を有して形成されている。好適には流体は圧縮可能である。好適には爆発保護機器は圧力分散層として形成されており、当該圧力分散層は、好適にはハニカムおよび／あるいはウェブおよび／あるいはリブおよび／あるいは波型プロファイルおよび／あるいは条溝を備え、その長手軸は好適には、作用する破片／射出物の運動モーメントのベクトルに対して横方向好適には垂直に、収容装置内部に設けられている。好適には、少なくとも２つ、好適には少なくとも４つ、好適には少なくとも６つあるいはそれ以上の圧力分散層が連続して設けられている。「連続して」とは、ここでは、圧力分散層が水平に連続しているか、あるいは垂直に連続しているか、あるいは水平と垂直とに連続している、という意味である。好適には、連続する圧力分散層の長手軸の配列は互いに異なっており、好適には同一である。好適には、圧力分散層は、鉄合金、鋼、アルミニウム、チタンあるいはマグネシウムのような軽金属、架橋されたプラスチック、充填材を有するプラスチック、ならびに／または、好適には炭素繊維、ガラス繊維および／あるいはアラミド繊維を有する、織物および／あるいはノンクリンプ織物あるいはこれらの組み合わせから選択される材料を備える。好適には、少なくとも２つのあるいはそれ以上の爆発保護機器が収容装置の中に含まれている。
【００８７】
輸送装置は、好適には少なくとも１つの槽要素を備える。槽要素は、桶状の部材特に受槽であってよい。好適には、少なくとも１つの安全機器が収容装置から流出する液体のための受槽として形成されており、好適には適した材料あるいは適した材料の組み合わせ、特に鋼あるいは鋼板（好適には亜鉛めっきされた）、金属板、アルミニウム、銅、金属、プラスチック、たとえばＰＶＣあるいはＰＥ、またはこれらの材料の１つあるいは複数による１つあるいは複数のフィルムからも形成されており、そのような材料と別の材料から成る１つあるいは複数のコーティングを備えてよい。好適には、収容装置は受槽の内部および／あるいは上部に設けられており、好適には受槽の内部に設けられている。好適には、この受槽の側方寸法は、標準ユーロパレットあるいはＵＬＤパレットあるいはＵＬＤコンテナの側方寸法を上回らないように、あるいは受槽の側方寸法が、標準ユーロパレットあるいはＵＬＤパレットあるいはＵＬＤコンテナの側方寸法とほぼ一致するようになっている。受槽は、材料接続的におよび／あるいは力接続的におよび／あるいは形状接続的に、少なくとも１つの収容装置と接合されていてよく、特に固定式にすなわち破壊せずに分離不可能に接合されていてよい。しかし、受槽が少なくとも１つの収容装置と接合されていないことも可能である。
【００８８】
好適には、槽要素の底面あるいは側面は、槽の底面をその上に設けられた収容装置の底面の下面から間隔をあけるために、少なくとも１つのスペース機器たとえば１つあるいは複数の土台あるいはリブを備える。しかし、収容装置の底面の下面も前述のスペース機器を備えてよい。好適には、前述のスペース機器は、たとえばプラスチックあるいは金属のような、それに適した材料を備えているか、あるいはそれから構成される。輸送装置は１つあるいは複数の格子要素を備えてよく、当該格子要素は底面要素もしくは軸受面として用いられてよく、かつ特にこのスペーサの一部であってよい。格子要素は、特に亜鉛メッキがされていてよい鋼格子を備えてよいか、あるいはそれであってよい。格子要素は、材料接続的に、力接続的におよび／あるいは形状接続的に、輸送装置、特にスペース機器と接合されていてよく、特に固定式（すなわち破壊せずに分離不可能）にあるいは分離可能に接合されていてよく、すなわち取り外し可能であってよい。
【００８９】
好適には、少なくとも１つの安全機器が、固形のおよび／あるいは液状のおよび／あるいはガス状の（化学）物質を化学的におよび／あるいは物理的に吸着し、および／あるいは化学的におよび／あるいは物理的に吸収することができる。
【００９０】
好適には、貨物は少なくとも１つの安全機器に取り囲まれており、当該安全機器は、固形のおよび／あるいは液状のおよび／あるいはガス状の化学物質を化学的におよび／あるいは物理的に吸着し、および／あるいは化学的におよび／あるいは物理的に吸収することができる。
【００９１】
一実施形態においては、安全機器は、素早く硬化する発泡体として形成されている。この発泡体は、たとえば難燃性のおよび／あるいは吸湿性のおよび／あるいは緩衝性の特性を備えてよく、および／あるいは力接続的に、受槽の底面および収容装置の底面の下面と接合されていてよい。スペース機器は係合手段を備えてよく、当該係合手段を用いて、槽の補完的係合手段によって輸送装置を係合することによって固定を達成できる。
【００９２】
好適には、特に火災を回避するための少なくとも１つの安全機器は、燃えにくいおよび／あるいはガス漏れのないおよび／あるいは液漏れのない貨物被覆体として形成されており、好適には複合フィルムおよび／あるいはセラミック製の噴霧材料（たとえば、エボニック工業の商品名セパリオンで知られている材料）および／あるいは熱遮蔽性のある粘着するゲルおよび／あるいは発火保護を有する発泡ウレタンおよび／あるいはＰＣＭ（相変化材料）から構成され、好適には缶から貨物に噴霧される。
【００９３】
好適には、燃えにくいおよび／あるいはガス漏れのないおよび／あるいは液漏れのない貨物被覆体は、自らの重量の何倍もの水を吸収するポリマー組成物と、均等に濃縮された水から成る、空気を含まずに粘着力と熱遮蔽性を有するジェルと、から構成されてよい。好適には、燃えにくいおよび／あるいはガス漏れのないおよび／あるいは液漏れのない貨物被覆体は、平坦で垂直な面に対しても良好な接着力を有する。好ましくは１０ｍｍまでの層厚が形成される。しかし層厚は、より大きくても、あるいはより小さくてもよい。好適には、燃えにくいおよび／あるいはガス漏れのないおよび／あるいは液漏れのない貨物被覆体は、物理的化学的特性によって高温においても水の蒸発率を減少させる。さらに好ましくは、それによって消火水の消費が低下する。好適には燃えにくいおよび／あるいはガス漏れのないおよび／あるいは液漏れのない貨物被覆体は、少なくとも部分的に生物学的に分解可能である。特に好ましい、燃えにくいおよび／あるいはガス漏れのないおよび／あるいは液漏れのない貨物被覆体は、２０℃で製品粘性が２００〜５００ｍＰａｓである。しかし製品粘性は、より大きくても、あるいはより小さくてもよい。さらに特に好ましい、燃えにくいおよび／あるいはガス漏れのないおよび／あるいは液漏れのない貨物被覆体は、密度が１．０５ｇ／ｃｍ３である。しかし密度は、より大きくても、あるいはより小さくてもよい。
【００９４】
特に好ましい、燃えにくいおよび／あるいはガス漏れのないおよび／あるいは液漏れのない貨物被覆体は、２０℃でｐＨ値が６．９〜７．１である。しかしｐＨ値は、より大きくても、あるいはより小さくてもよい。
【００９５】
燃えにくいおよび／あるいはガス漏れのないおよび／あるいは液漏れのない貨物被覆体の好ましい調量率は、遮蔽の場合に２．０％〜３．０％である。しかし調量率は、より大きくあるいはより小さくてもよい。そのような、燃えにくいおよび／あるいはガス漏れのないおよび／あるいは液漏れのない貨物被覆体は、たとえばエボニック社の商品名「Firesorb」で販売されている（２０１０年；認可番号ＰＬ１−９８）。
【００９６】
特に好ましくは、少なくとも１つの安全機器は、燃えにくいおよび／あるいはガス漏れのないおよび／あるいは液漏れのない貨物被覆体として形成されており、熱を遮蔽することができる。好適には被覆体は、貨物の収容装置内部の温度が、それぞれ好適には１００℃、１５０℃、２００℃を上回らないように形成されている。
【００９７】
好適には、少なくとも１つの安全機器は、たとえば送風機を備え得るガス吸出機器を備える。好適には、ガス吸出機器はフィルタ機器、たとえば活性炭フィルタシステムを備え、当該フィルタ機器は収容装置の周囲へのガス流出を減少させ、改善し、あるいは防ぐために、たとえば収容装置の内部で発生したガス（混合ガス）を吸出し、好適にはフィルタにかけることができる。フィルタシステムは、触媒によって、および／あるいは機械的に作用するフィルタシステムであってよい。安全機器はさらに、ガス吸出機器とは別にフィルタ機器を備えてよい。しかしガス吸出機器は、発生したガス（混合ガス）が吸出され、容器の中に閉じ込められ、もしくは液化させられるように構成されていてもよい。容器は、収容装置の内部あるいは外部にあってよい。
【００９８】
好適には、少なくとも１つの安全機器はセンサシステムを備えており、当該センサシステムは、特に輸送装置内部および／あるいは外部および／あるいは収容装置内部および／あるいは外部および／あるいは貨物内部および／あるいは外部の、大気圧および／あるいは機械的圧力および／あるいは温度および／あるいは湿度および／あるいは大気組成を測定する。センサシステムは少なくとも１つの温度測定器を備えてよい。安全機器特にセンサシステムは、特に計算機器、たとえば集積回路あるいはマイクロコントローラを含んでよい制御機器を備えてよい。
【００９９】
好適には、センサシステムは、車両および／あるいは貨物と作用関係にあってよく、たとえば電気化学的エネルギー貯蔵ユニットのバッテリー管理システム（ＢＭＳ）と接触していてよく、好適にはパラメータの特定の値を上回るか下回った場合に、少なくとも１つのさらなる安全機器たとえば消火設備を作動させてよい。
【０１００】
一実施形態においては、センサシステムは、たとえば火災を回避するためにあるいは火災を抑制するために形成された少なくとも１つの安全機器と作用関係にあってよい。
【０１０１】
作用関係にあるというのは、ここでは、センサシステムが、特殊なパラメータたとえばバッテリーの温度あるいは充電状況を測定し、予め規定された特定の値を上回るかあるいは下回った場合に火災を抑制するように、たとえば安全機器から消火剤が放出されるということも意味する。しかしセンサシステムは、車両の運転者に、特定のパラメータ値を上回ったあるいは下回ったので、たとえば消火設備として構成された安全機器の作動のような適切な処置を運転者がとってよいことを、たとえば操縦室にある警告ランプによって、あるいは音信号によって、知らせてもよい。
【０１０２】
有利には、センサは、センサシステムに属する制御要素と接触しており、当該制御要素は、たとえば圧力あるいは温度のような、センサシステムによって測定されたパラメータの値を、パラメータの予め規定された値と比較し、予め規定された値を上回るか下回った場合に、たとえば消火設備のような安全機器を作動させる。好ましくは、たとえば圧力あるいは温度のような、センサシステムによって測定されたパラメータの値は運転者に知らされ、その結果運転者は、予め規定された値を上回るか下回った場合に、安全機器を作動できる。
【０１０３】
好適には輸送装置は制御機器を備える。この制御機器は、電気回路と、マイクロコントローラと、データ供給要素と、電圧供給要素と、を備える。さらにこの機器は、輸送装置、特に収容装置あるいは安全機器の任意の構成部材であるセンサと接合されていてよい。それによって、アクティブなコントロールと輸送装置の監視とが可能になる。
【０１０４】
好適には、輸送装置は外部から認識可能な表示機器を備える。表示機器は好適には、輸送装置を開ける必要なしに危険物の状況変化、特に危険状況が外部に視認可能になるように形成されている。好適には、輸送装置は覗き窓を備える。これは、たとえば収容装置の側壁あるいは頂壁あるいは蓋壁に取り付けられてよく、あるいはこれらの壁の１つがほぼこの覗き窓から構成されてよい。表示機器、特にこの覗き窓は好適には、当該表示機器が状況変化（温度上昇あるいは圧力上昇、火災、ガスの発生など）の際にコントラストあるいは色が部分的あるいは完全に変化し、特に視認可能領域が信号色で満たされるように形成されている。覗き窓は好適には遮断機器の構成部材であり、好適にはＥＮ１０６３によって決められた抵抗力階級ＢＲ１、ＢＲ２、ＢＲ３、ＢＲ４、ＢＲ５、ＢＲ６、ＢＲ７あるいはＳＧ２の１つに従った防弾性がある。
【０１０５】
表示機器は、別の信号要素たとえばディスプレイ、ライト、ＬＥＤあるいは非電動駆動の信号要素を備えてもよい。好適には表示機器は、たとえば圧力、温度あるいは大気組成のような、収容空間内で（たとえばセンサ機器によって）検知された少なくとも１つのパラメータを視認可能にするディスプレイとして構成されている。
【０１０６】
好適には指示機器は安全機器と接合されており、この安全機器は好適には、温度あるいは圧力のような少なくとも１つの所与のパラメータを上回るか下回った場合に、あるいはたとえば振動のような別のパラメータに基づいて、表示機器の表示を作動させるセンサを備える。好適には、視覚的な表示に加えて、音での警告信号が出される。
【０１０７】
好適には輸送装置は、特にこの制御機器によって監視され得る冷却機器もしくは温度調整機器を備える。それによって輸送装置内部もしくは収容装置内部での危機的温度の形成に対抗できる。
【０１０８】
好適には輸送装置は、電気化学的エネルギー貯蔵要素たとえばセル、バッテリー、二次バッテリーの充電状況を監視するための手段を備える。これら手段は、特にこれらのエネルギー貯蔵装置の充電および／あるいは放電を監視するために形成されている。それによってたとえば、輸送装置に設けられたエネルギー貯蔵装置のたとえば輸送中あるいは保管中の状況を監視すること、特に輸送中あるいは保管中の充電および／あるいは放電を監視することが可能となり得る。
【０１０９】
好適には輸送装置もしくは収容装置は、電気化学的エネルギー貯蔵ユニットを接続するための電気接続部を備える。
【０１１０】
このように、特に貨物たとえば電気化学的エネルギー貯蔵ユニットの輸送のための、特に安全かつコンパクトな輸送装置が手に入る。
【０１１１】
本発明の記述のために、特に以下の用語が定義される。
【０１１２】
「輸送」は、水上、陸あるいは空の各々の方法で貨物を運ぶことである。「輸送」という用語は、本発明の枠内においては、特に貨物の輸送、保管、回収、包装、発送などを含む。
【０１１３】
「化学物質」は、固形状態、液状状態あるいはガス状状態での、化合物、物質、溶液、混合物および／あるいは組成物を含む。
【０１１４】
「外装」は、内側容器あるいは内装を取り巻くおよび／あるいは保護するために、必要な、および／あるいは適切なすべての機器を含めた組み合わせ包装あるいは合成包装の外部被覆である。
【０１１５】
第１の部材の状況の変化によって、第２の部材の状況も変化するか、および／あるいはその逆である場合、第１の部材は第２の部材と「作用関係」にある。たとえばセンサが温度上昇を測定し、それによって消火設備を作動させる場合、センサと消火設備とは互いに作用関係にある。しかし、たとえばセンサが温度上昇を測定するが、温度上昇をたとえば運転者に知らせるだけであって、運転者が初めて消火設備を作動させる場合、消火設備とセンサとは作用関係にはない。
【０１１６】
「電気化学的エネルギー貯蔵装置」は、好適には少なくとも１つのガルバニックセルを備える。電気化学的エネルギー貯蔵装置は、少なくとも１つのガルバニックセルの駆動に役立つさらなる機器も備えてよい。その際少なくとも１つのガルバニックセルと、補足の機器とは、共通のハウジング内に設けられていてよい。所定数以上のガルバニックセルでは、電気化学的エネルギー貯蔵装置は複数のユニットから構成されてよい。ガルバニックセルという用語は、あらゆる種類の電気エネルギー貯蔵器、特に電気化学的エネルギー貯蔵器、すなわち特に一次セルと二次セルも含み、たとえばコンデンサのような別の電気エネルギー貯蔵器も含む。
【０１１７】
「プレート」は、好適には垂直方向の好ましい広がり（高さ）が、二次元的、好適には水平の広がり（長さおよび／あるいは幅）よりもすべての場合に小さい物体である。たとえば、ユーロパレットあるいはＵＬＤパレットは、プレートと呼ばれている。
【０１１８】
面の「周」は、面の外縁辺部を包含する包括的な線であるか、あるいは面の輪郭線である。もっぱら二次元の面からできる三次元の物体の「周」は、当該物体を包含する包括的な面であるか、あるいは当該物体の外面である。
【０１１９】
「吸着」は、２つの相の間の相境界（たとえば表面）に物質が集積されるプロセスを表わしている。
【０１２０】
「吸収」は、吸収する相に物質が収容されるプロセスを表わしている。
【０１２１】
有利には、一実施形態では、パレット好適にはユーロパレットは基礎プレートとしての輸送装置の構成部材である。有利には、一実施形態では、たとえば木材、金属板、鋼、あるいはプラスチックから成るパレットカラーは、周囲に対する境界としての輸送装置の構成部材である。有利には、一実施形態では、危険物を取り囲む、アルミニウム複合フィルムとＰＵ発泡体クッションとから構成される収容装置が用いられる。有利には、一実施形態では、安全機器、特に消火剤を有する容器が第１の輸送装置に配置され、この安全機器は、最低温度および／あるいは最低圧力で消火剤を放出し、好適には、素早く分解するカプセルが、最低温度および／あるいは最低圧力で消火剤の放出を引き起こす。
【０１２２】
本発明に係る収容装置を作るための本発明に係る方法は、それぞれ任意の以下のステップを備える。
【０１２３】
第１ステップにおいて、収容装置のすべての構成部材、特に遮断機器が準備される。さらなるステップにおいて、収容装置の準備された構成部材が組み立てられる。さらなるステップにおいて、安全機器のすべての構成部材が準備される。さらなるステップにおいて、安全機器のすべての構成部材が組み立てられる。代替的に、すでに組立て済みの安全機器（たとえば消火器）あるいは収容装置（たとえば箱）が用いられてよい。さらなるステップにおいて、安全装置が収容装置に設けられてよく、その逆であってよく、それによって本発明に係る輸送装置が手に入る。代替的に、本発明に係る輸送装置を手に入れるために、少なくとも１つの安全機器を有する複数の収容装置が設けられてもよい。好適に意図されているのは、電気化学的エネルギー貯蔵装置、特にリチウムイオンセルが、輸送装置あるいは収容装置あるいは遮断機器と（あるいはそれに）、それぞれ好適には積層され、接着され、縫合され、クランプされ、挟み込まれ、あるいは何かほかの方法で、力接続的におよび／あるいは形状接続的に、および／あるいは材料接続的に接合されることによって、その製造後に、すなわち特に新品の状態で本発明に係る輸送装置に設けられることである。
【０１２４】
好適には、本発明に係る輸送装置は、特に、危険物を有する新たな発送物、新式の発送物、新たに開発された発送物あるいは販売準備のできた発送物あるいは危険物を輸送するために、特に、新たな電気化学的エネルギー貯蔵ユニット、新式の電気化学的エネルギー貯蔵ユニット、新たに開発された電気化学的エネルギー貯蔵ユニットあるいは販売準備のできた電気化学的エネルギー貯蔵ユニットの輸送のために用いられてよい。
【０１２５】
好適には、本発明に係る輸送装置は、特に、危険物を有する損傷のある発送物、故障した発送物あるいは密封されていない発送物あるいは危険物を輸送するために、特に、損傷のある電気化学的エネルギー貯蔵ユニット、故障した電気化学的エネルギー貯蔵ユニットあるいは密封されていない電気化学的エネルギー貯蔵ユニットを輸送するために用いられてよい。本発明に係る輸送装置は、好適には、電気化学的エネルギー貯蔵装置特にリチウムイオンセルあるいはリチウムイオンバッテリーの輸送、回収、保管、収容のために用いられてよく、当該電気化学的エネルギー貯蔵装置は、新品、中古、故障中あるいは部分的または完全に充電されてあるいは部分的または完全に放電されて、あるいは状態が不明であってよい。輸送は、空で（航空機、ヘリコプターなど）、陸で（たとえばトラック、鉄道など）あるいは水上で（たとえば船舶で）行われてよい。輸送装置は好適には、公の規準もしくは基本ルールたとえばＡＤＲ、ＲＩＤ、ＩＭＤＧ、ＡＤＮ、ＩＣＡＯ−ＴＩ、ＩＡＴＡ  ＤＧＲ、ＦＡＡの少なくとも１つに従った輸送条件を満たすために構成されている。
【０１２６】
本発明に係る輸送装置は、収容室に設けられている、１つ（あるいは複数、特に１０以上）の電気化学的エネルギー貯蔵装置、特にリチウムイオンセルを備える。輸送装置は、輸送機器を備えるかあるいは本質的に輸送機器から構成されるカバー機器を形成する。本発明に係るそのようなカバー機器は高い安全性をもたらす。電気化学的エネルギー貯蔵装置、特にリチウムイオンセルは、それぞれ好適には、輸送装置、収容装置あるいは遮断機器と（あるいはそれに）接合されており、特に力接続的におよび／あるいは形状接続的におよび／あるいは材料接続的に接合されており、特にこれらと／これらにそれぞれ好適には、積層、接着、溶接、縫合、クランプ、挟み込みあるいは留め金で接合されている。
【０１２７】
本発明に係る方法と装置の特徴は、本発明に係るそれぞれの対象を構成するために、組み合わされてよい。
【０１２８】
本願発明のさらなる利点と特徴と使用の可能性とは、図に関連した実施例の以下の記述からもたらされる。図に示されるのは以下である。
【図面の簡単な説明】
【０１２９】
【図１】本発明に従って組み立てられかつ利用準備のできた、消火機器を有する本発明に係る輸送装置の、第１実施例の概略図である。
【図２】本発明に係る輸送装置のさらなる一実施例の構造と、さらに本発明に係るその組立て方法の一実施例の概略図である。
【図３】受槽とガス吸出機器とを有する、本発明に係る輸送装置の一実施例の断面図である。
【図４】より小さい４つの収容装置と、組み込まれたセンサシステムとを有する、本発明に係る輸送装置の本発明に係るさらなる一実施例の断面図である。
【図５】本発明に係る輸送装置の本発明に係るさらなる一実施例の断面図である。
【図６ａ】それぞれ壁として形成された遮断機器であって、本発明に係る輸送装置特に図１から図５に従った輸送装置で用いられ得る遮断機器を通る断面図である。
【図６ｂ】それぞれ壁として形成された遮断機器であって、本発明に係る輸送装置特に図１から図５に従った輸送装置で用いられ得る遮断機器を通る断面図である。
【図６ｃ】それぞれ壁として形成された遮断機器であって、本発明に係る輸送装置特に図１から図５に従った輸送装置で用いられ得る遮断機器を通る断面図である。
【図６ｄ】それぞれ壁として形成された遮断機器であって、本発明に係る輸送装置特に図１から図５に従った輸送装置で用いられ得る遮断機器を通る断面図である。
【発明を実施するための形態】
【０１３０】
図１は、底プレート１１０とフレーム１２０と蓋１３０とから構成される収容装置から構成される、本発明に係る輸送装置１００を示している。フレームは、特に図６ａから図６ｄに従った遮断機器を備え、当該遮断機器は輸送装置に、機械的熱的作用に対する保護を付与する。蓋１３０内には、特に図６に従った遮断機器と、好適には消火剤１３２と設定破断箇所（図示されず）とを備えるパッドとして構成された安全機器と、さらなる安全機器１３４、たとえば分解可能なカプセルとがあり、当該カプセルは、たとえば温度上昇時あるいは圧力上昇時に、消火剤１３２が輸送装置１００の内部に放出されるようにする。これはたとえば、パッド内部の圧力上昇によって引き起こされてよく、それによってたとえば１つあるいは複数の設定破断箇所が開き、好適には噴霧によって消火剤１３２が輸送装置１００の内部に放出される。
【０１３１】
収容装置のフレーム１２０と蓋１３０と底プレート１１０とは互いに接合されており、好適には、輸送装置１００から周囲への、かつその逆のガス交換あるいは液体交換が起こり得ないように、接合されている。
【０１３２】
図２は、本発明に係る輸送装置を組み立てるための方法であって、輸送装置１００にも関し得る方法を示している。
【０１３３】
第１のステップは、フレーム１２０と、蓋１３０と、ユーロパレットによって形成される基礎プレートもしくは底プレート１１０と、を備える収容装置の準備を含む。第２のステップにおいて、底プレート１１０にフレーム１２０が載置され、底プレートと接合される。
【０１３４】
第３の別個のステップは、被覆体１４４を備え得る容器１４０への危険物１５０の導入を含み、当該被覆体１４４内には、危険物１５０を取り囲む安全機器として形成されていてもよい充填材１４２がある。被覆体１４４は、たとえばアルミニウム複合フィルムから形成されてよく、好適には、被覆体１４４から周囲にかつその逆にガスも液体も到達することができないように形成されてよい。充填材１４２は、たとえば素早く硬化する発泡体、たとえばＰＵ発泡体から形成されてよい。
【０１３５】
危険物１５０は、容器１４０が充填材１４２で満たされる前に、あるいはその後にでも導入されてよい。好適には、危険物１５０は容器１４０内部に、充填材１４２が危険物１５０をすべての空間方向において均等に取り囲むように導入されている。
【０１３６】
第４のステップにおいて、危険物１５０と被覆体１４４と充填材１４２とを備える容器１４０が、基礎プレート１１０とフレーム１２０とを備える収容装置に導入される。
【０１３７】
好適には、容器１４０の容積は、それがフレーム１２０と基礎プレート１１０とから形成される収容装置の内部容積に相当するように選択されている。上方の境界は、フレーム１２０の高さに相当する。容器１４０の側方寸法は、ユーロパレット１１０の側方寸法を上回らないように選択されている。フレーム１２０と、基礎プレート１１０と、容器１４０と、との間に生じるすべての隙間は、充填材、たとえばＰＵ発泡体、発泡スチロールあるいは紙で充填されてよく、その結果収容装置１１０、１２０内部での容器１４０の移動は制限されており、好適には起こらない。
【０１３８】
第５のステップにおいて、閉鎖機器つまり蓋１３０が、容器１４０で満たされた収容装置に載置され、収容装置と、より正確にはフレーム１２０と固定式に接合され、好適には、周囲と完成した輸送装置１００との間で液体交換及びガス交換が起こり得ないように接合される。好適には、蓋１３０は容器１４０と同一平面になっている。蓋１３０と容器１４０との間に生じる隙間は、充填材、たとえばＰＵ発泡体、発泡スチロールあるいは紙で充填されてよく、その結果蓋１３０と容器１４０との間を同一平面とすることが可能である。
【０１３９】
蓋１３０は、消火剤１３２を有する安全機器と、さらなる安全機器１３４、たとえば分解可能なカプセルと、を含み、当該カプセルは、温度上昇時あるいは圧力上昇時に、消火剤１３２が輸送装置１００の内部に、好適には噴霧によって放出されるようにする。
【０１４０】
蓋１３０は、別個のステップにおいて組み合される。たとえば、中空室を備える蓋１３０が準備されてよい。この中空室内にはたとえば、消火剤１３２で満たされ、圧力がかけられ、設定破断箇所を含んでよい容器が導入されていてよい。消火剤１３２で満たされた容器の設定破断箇所に、活性化機器１３４、たとえば分解可能なカプセルがあってよく、当該カプセルは、たとえば温度上昇時あるいは圧力上昇時に設定破断箇所の破断を引き起こす。たとえば、消火剤１３２で満たされた容器に圧力がかかると、消火剤が噴霧によって放出され得るが、これは本発明によれば好ましい。
【０１４１】
その結果として、危険物１５０を輸送し保管するための、安全で簡単でコンパクトな輸送装置１００が手に入る。
【０１４２】
図３は、容器１４０から流出する液体のための受槽１７０を含む、本発明に係る輸送装置１０２の断面図を示している。受槽１７０は基礎プレート１６０の上に設けられている。受槽１７０の長手外寸と幅外寸とは、基礎プレート１６０の長手外寸と幅外寸とよりも大きい（あるいは好適には大きくない）。スペース機器１７２は、危険物１５０の収容装置として使われる容器１４０の底面の下面から、受槽１７０の底面への間隔をあけている。
【０１４３】
容器１４０は、好適には堅固な被覆体１４４から構成される。被覆体１４４は容積を包含する。被覆体は、特に図６ａから図６ｄに従った遮断機器を備え、当該遮断機器は、輸送装置に機械的熱的作用に対する保護を付与する。この容積内に危険物１５０が導入されてよい。好適には、危険物１５０の容積と、被覆体１４４の内壁によって定義されている容積とは、危険物１５０が被覆体１４４に導入される際に、充填剤１４２で満たされ得る自由空間が残ったままになるように選択されている。好適には、充填材１４２は危険物１５０を、容器１４０内部での危険物１５０の移動が制限されており、好適には起こらないように取り囲んでいる。好適には危険物１５０は被覆体１４４の内部に、充填材１４２が危険物１５０をすべての空間方向で均等に取り囲むように導入されている。
【０１４４】
危険物１５０から流出するガスは、ガス吸出機器１８０によって、好適には活性炭フィルタシステムによって吸出され、および／あるいは好適には無害にされ得る。
【０１４５】
図４は、外部被覆体１９０と、危険物１５０の収容装置として使われる１つあるいは複数の容器１４０と、消火剤１３２と、消火剤１３２を活性化もしくは作動させるための制御機器１３８と、当該制御機器１３８に接触している複数のセンサ１３５、１３６と、から構成される輸送装置１０４の断面図を示している。
【０１４６】
容器１４０それぞれは被覆体１４４から構成され、被覆体１４４は、好適には複数の容器１４０の積重を可能にする。被覆体は、特に図６ａから図６ｄに従った遮断機器を備え、当該遮断機器は、輸送装置に機械的熱的作用に対する保護を付与する。被覆体１４４は、危険物１５０と充填材１４２とが導入され得るそれぞれ１つの容積を包含する。好適には、充填材１４２は危険物１５０を取り囲み、それによって容器１４０内部での危険物１５０の移動が制限され、好適には移動は起こらない。好適には危険物１５０は被覆体１４４の内部に、充填材１４２が危険物１５０をすべての空間方向でほぼ均等に取り囲むように導入されている。
【０１４７】
センサ１３５はそれぞれ、容器１４０内の危険物１５０に取り付けられている。このセンサ１３５は危険物の中に延伸してもよい。危険物１５０がたとえば電気化学的エネルギー貯蔵装置である場合には、センサ１３５は電気化学的エネルギー貯蔵装置１５０のＢＭＳ（バッテリー管理システム）と接合されていてよい。
【０１４８】
センサ１３５はたとえば、圧力、温度、空気組成のようなパラメータを測定し、データを制御機器１３８に転送できる。好適には、たとえば、圧力、温度、空気組成のようなパラメータを測定し、データを制御機器１３８に転送するために、輸送装置１０４の外部被覆１９０の内側と外側に、さらなるセンサ１３６がある。
【０１４９】
この制御機器１３８はたとえば、センサ１３５、１３６から受けたパラメータの値を、パラメータの予め決められた値と比較でき、予め決められた限界値を上回るか下回った場合に、消火剤１３２を活性化でき、もしくは輸送装置１０４の内部に放出できる。好適には制御機器１３８は、受けたパラメータ値を運転者に知らせ、当該運転者が消火機器から消火剤１３２を放出させてもよい。
【０１５０】
図５において、危険物を収容するための少なくとも１つの収容装置２０２を有する、危険物２０１、特にリチウムイオンバッテリーセルの輸送装置１０５が示されている。収容装置２０２は収容室２０３を備え、当該収容室２０３は、遮断機器２０４を備えるとともに、別個の要素として構成される分離壁２０７によって２つのコンパートメントに分割されている。付加的に、収容装置２０２はフード要素２０６を備え、当該フード要素２０６は、ここでは特に遮断機器２０５によって形成されているが、別の構成であってもよく、その場合遮断機器は、それぞれ少なくとも１つの第１材料と少なくとも１つの第２材料とを備える。遮断機器２０４及び２０５はそれぞれ特に図６ａから図６ｄにおける実施例の１つに従って形成されていてよい。フード要素２０６は、ここでは基礎プレート２０８から分離可能に形成されており、図においては当該基礎プレートにクリップあるいはボルトを備え得る任意の固定機器２０９によってロックされている。
【０１５１】
図６ａから図６ｄはそれぞれ、特に図１から図５に従った本発明に係る輸送装置の、特にフレーム、被覆体あるいは壁である遮断機器の一実施例を示している。
【０１５２】
図６ａの実施例において、層システム２１０の第１の層２１１と、任意の第３の層２１３とは、収容室（第１の層）もしくは周囲（第３の層）に対向しているアルミニウムフィルムを備える。この層は、特に熱反射のために、すなわち周囲もしくは収容室の保護、あるいは第２の層の保護に使われてよい。第２の層２１２は、繊維複合材料、すなわち３００℃までの短時間の耐熱性を有する、防燃性がありガラス繊維を含有するポリアミド（ガラス繊維が６０％のポリアミド６６／６Ｔ；ＰＡ６６／６Ｔ  ＧＦ６０）を備えるか、あるいは繊維複合材料から構成されている。この層システムは、多くの要求に対して充分耐熱性があり、機械的に堅固で、射出物と爆発とに対して強い効果を持ち、比較的小さい密度で形成されているので、結果的にできる輸送装置は安全であるがそれ自身の質量は比較的小さい。第２の層２１２は、さらに好適にはポリフタルアミド（たとえば防燃性のあるガラス繊維が３３％のポリフタルアミド；ＰＰＡ  ＧＦ３３  Ｖ０）を備えるか、あるいはポリフタルアミドから構成されている。
【０１５３】
図６ｂの実施例において、層システム２１０の第１の層２１１と、第３の層２１３とは、収容室もしくは周囲に対向しているアルミニウムフィルムを備える。第２の層２１２は、繊維複合材料すなわちザイロン（登録商標）を備え（あるいはザイロンから構成されており）、このザイロンは、好適には別の層によって、液漏れとガス漏れなしに周囲に対して密封されている。この層システムは、良好な耐熱性があり、機械的に堅固で、射出物と爆発とに対して強く、特に軽く形成されているので、結果的にできる輸送装置は安全であるがそれ自身の質量は比較的小さい。
【０１５４】
図６ｃの実施例において、層システム２１０の第１の層２１１と、第３の層２１３とは、収容室もしくは周囲に対向しているアルミニウムフィルムを備える。第２の層２１２’は、繊維複合材料すなわちケブラー（登録商標）から成る第１の部分層２１２ａと、（たとえば厚さ２．０ｍｍの）鋼板から成る第２の部分層２１２ｂと備え、これら層は互いに接着されている。ケブラー（登録商標）の高い引張強度は、第２の部分層たとえば鋼に、たとえば高い耐爆性を付与することができ、その結果両部分層は、互いに補い合うか、あるいは互いに保護し合って、たとえば組み合わされたそれらの効果を維持できる。
【０１５５】
図６ｄの実施例において、層システム２１０の第１の層２１１は、収容室に対向しているアルミニウムフィルムを備え（あるいはアルミニウムフィルムから構成されており）、第３の層２１３’は、周囲に対向しているダイニーマから構成されている。第２の層２１２” は、セラミック繊維複合材料、すなわちＳｉＣを含有する、たとえばＣＶＩ−ＳｉＣ／ＳｉＣから成る第１の部分層２１２ａ’と、（たとえば厚さ２．０ｍｍの）鋼板から成る第２の部分層２１２ｂと備え、これら層は互いに接着されている。セラミック繊維複合材料の高い引張強度は、第２の部分層、つまり鋼、に高い耐爆性を付与することができ、その結果両部分層は、互いに補い合うかあるいは互いに保護し合って、たとえば組み合わされたそれらの効果を維持できる。
【符号の説明】
【０１５６】
１００、１０２、１０４、１０５  輸送装置
１１０、１６０  基礎プレート、底プレート
１２０  遮断機器を有するフレーム
１３０  閉鎖機器、蓋
１３２  消火剤
１３４  活性化機器
１３５、１３６  センサ
１３８  制御機器
１４０  容器
１４２  充填材
１４４  被覆体
１５０、２０１  危険物
１７０  受槽
１７２  スペース機器
１８０  ガス吸出装置
１９０  外部被覆体
２１０  遮断機器を有する側壁
２０２  収容装置
２０３  収容室
２０４、２０５  遮断機器
２０６  フード要素
２０７  分離壁
２０８  基礎プレート
２０９  固定機器
２１０  層システム
２１１  第１の層
２１２  第２の層
２１３、２１３’  第３の層
２１２ａ、２１２ａ’  第１の部分層
２１２ｂ、２１２ｂ’  第２の部分層
【図１】
2014509286.tif 000003
【図２】
2014509286.tif 000004
【図３】
2014509286.tif 000005
【図４】
2014509286.tif 000006
【図５】
2014509286.tif 000007
【図６ａ】
2014509286.tif 000008
【図６ｂ】
2014509286.tif 000009
【図６ｃ】
2014509286.tif 000010
【図６ｄ】
2014509286.tif 000011
【国際調査報告】
2014509286.tif 000012
2014509286.tif 000013
2014509286.tif 000014
2014509286.tif 000015
2014509286.tif 000016
2014509286.tif 000017